【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
構成自在な高指向器において、
複数の伸縮式脚部と、
複数の頭部ユニットを備えた頭部であって、各頭部ユニットは、別の頭部ユニットに連結するための第１の結合部分と、別の頭部ユニットに連結するための第２の結合部分とを備え、各頭部ユニットは、各頭部ユニットからぶら下がる前記伸縮式脚部の中の１つに回転可能に装着された、頭部と、を備え、
各頭部ユニットは、少なくとも１つの他の隣接する頭部ユニットと解除可能に結合され、頭部ユニットの各々の前記第１の結合部分は、隣接する頭部ユニットの前記第２の結合部分に、回転可能かつ解除可能に結合され、頭部ユニットの各々の前記第２の結合部分は、隣接する頭部ユニットの前記第１の結合部分に、回転可能かつ解除可能に結合され、前記頭部ユニットは、頭部ユニットの閉連鎖を形成する、高指向器。
【請求項２】
請求項１に記載の高指向器において、
前記頭部ユニットの各々は、２つの他の頭部ユニットに結合されて、頭部ユニットの前記連鎖を形成する、高指向器。
【請求項３】
請求項１に記載の高指向器において、
前記第１及び第２の結合部分は、ピンを介して共に保持されるヒンジを共に形成する、高指向器。
【請求項４】
請求項１に記載の高指向器において、
前記第１及び第２の結合部分は、ピンを介して共に保持されるヒンジを共に形成し、
前記ピンは、保持部分によって定位置に保持される、高指向器。
【請求項５】
請求項１に記載の高指向器において、
前記頭部ユニットの少なくとも１つは、ロープガイド要素を装着するための装着要素をさらに備えた、頭部ユニット。
【請求項６】
請求項１に記載の高指向器において、
前記頭部ユニットの少なくとも１つは、ロープガイド要素を装着するための装着要素をさらに備え、前記ロープガイド要素はプーリを備えた、頭部ユニット。
【請求項７】
請求項１に記載の高指向器において、
前記閉連鎖は、正多角形の形状の配列を形成するように構成された、頭部。
【請求項８】
請求項１に記載の高指向器において、
前記閉連鎖は、三角形、正方形、五角形、六角形、七角形、八角形、九角形、または十角形の形状を含む、正多角形の形状の配列を形成するように構成され得る、頭部。
【請求項９】
請求項１に記載の高指向器において、
少なくとも１つの留め具部材をさらに備え、前記留め具部材は、別の頭部ユニットから所定の距離だけ１つの頭部ユニットを離間させる、頭部。
【請求項１０】
請求項１に記載の高指向器において、
少なくとも１つの留め具部材をさらに備え、前記留め具部材は、少なくとも２つの結合された頭部ユニットに連結し、それらを相互に固定する、頭部。
【請求項１１】
請求項１に記載の高指向器において、
少なくとも１つの留め具部材をさらに備え、前記留め具部材は、少なくとも３つの結合された頭部ユニットに連結し、それらを相互に固定する、頭部。
【請求項１２】
請求項１に記載の高指向器において、
少なくとも１つの留め具部材をさらに備え、前記留め具部材は、少なくとも２つの結合された頭部ユニットに連結し、それらを相互に固定するように構成され、前記頭部の前記中心部に空所を有する、頭部。
【請求項１３】
請求項１に記載の高指向器において、
少なくとも１つの留め具部材をさらに備え、少なくとも２つの伸縮式脚部に連結し、それらを相互に固定する、高指向器。
【請求項１４】
請求項１に記載の高指向器において、
前記頭部は本体部分をさらに備え、前記本体部分は、少なくとも１つの伸縮式脚部を装着するための装着手段を有した、頭部。
【請求項１５】
請求項１に記載の高指向器において、
少なくとも２対の結合された頭部ユニットに連結し、それらを相互に固定するブリッジ部材をさらに備えた、高指向器。
【請求項１６】
請求項１に記載の高指向器において、
前記伸縮式脚部は、少なくとも９０度だけ前記頭部ユニットの周囲を回転する、高指向器。
【請求項１７】
請求項１に記載の高指向器において、
第１の頭部ユニットと第２の頭部ユニットとを有し、
前記第１の頭部ユニットの前記第１の結合部分は、前記第２の頭部ユニットの前記第２の結合部分に結合され、
前記第１の頭部ユニットの前記第２の結合部分は、前記第２の頭部ユニットの前記第１の結合部分に結合された、高指向器。
【請求項１８】
頭部と複数の伸縮式脚部とを有する高指向器用のキットにおいて、
複数の頭部ユニットと、
複数の伸縮式脚部と、を備え、
各頭部ユニットは、少なくとも１つの各伸縮式脚部に回転可能に装着可能であり、
各頭部ユニットは、別の頭部ユニットに結合されるための前記第１の結合部分と、別の頭部ユニットに結合されるための前記第２の結合部分とを備え、前記頭部ユニットの各々の前記第１の結合部分は、隣接する頭部ユニットの前記第２の結合部分に、回転可能かつ解除可能に結合され、前記頭部ユニットの各々の前記第２の結合部分は、隣接する頭部ユニットの前記第１の結合部分に、回転可能かつ解除可能に結合された、キット。
【請求項１９】
請求項１８に記載のキットにおいて、
前記第１及び第２の結合部分は、実質的に同一である、キット。
【請求項２０】
請求項１８に記載のキットにおいて、
前記複数の頭部ユニットは、同一である、キット。
【請求項２１】
請求項１８に記載のキットにおいて、
少なくとも１つの頭部ユニットは、プーリを備えた、キット。
【請求項２２】
請求項１８に記載のキットにおいて、
前記頭部ユニットを所望の構成に保持するための留め具部材をさらに備えた、キット。
【請求項２３】
支持用の頭部ユニットにおいて、複数のこの頭部ユニットが複数の伸縮式脚部を有する支持器の頭部を共に形成するように連結され得るものであり、支持器の伸縮式脚部に装着するための装着部分を有する本体と、別の頭部ユニットの前記本体の第１の側部に結合されるための第１の結合部分であって、貫通孔を有する、第１の結合部分と、別の頭部ユニットの前記本体の第２の側部に結合されるための第２の結合部分であって、貫通孔を有する、第２の結合部分と、を備え、前記第１の結合部分は、隣接する頭部ユニットの前記第２の結合部分に、回転可能かつ解除可能に結合され、前記第２の結合部分は、隣接する頭部ユニットの前記第１の結合部分に、回転可能かつ解除可能に結合された、頭部ユニット。
【請求項２４】
支持用の頭部ユニットにおいて、複数のこの頭部ユニットが複数の伸縮式脚部を有する支持器の頭部を共に形成するように連結され得るものであり、前記頭部は、略中心の軸を有し、
本体と、
前記本体の第１の側部にある第１の結合部分と前記本体の第２の側部にある第２の結合部分とを備え、各結合部分は、別の頭部ユニットの結合部分と解除可能な回転連結部を形成するように適合され、前記回転連結部の回転軸が、前記頭部の前記中心軸に対して略平行であり、前記第１の結合部分は管形状であり、前記第２の結合部分は管形状であり、前記第１の結合部分は、隣接する頭部ユニットの前記第２の結合部分に、回転可能かつ解除可能に結合され、前記第２の結合部分は、隣接する頭部ユニットの前記第１の結合部分に、回転可能かつ解除可能に結合された、頭部ユニット。
【請求項２５】
支持器用の頭部ユニットであって、複数のこの頭部ユニットが複数の伸縮式脚部を有する支持器の頭部を共に形成するように連結され得る、頭部ユニットにおいて、
脚部を受けて、前記脚部に回転可能に結合されるように適合された本体であって、前部プレート、及び、前記前部プレートから後方に延びる第１及び第２の側部プレートを有する、本体と、
別の頭部ユニットに連結するための第１の側部連結具であって、前記前部プレートから側方に突出し、前記第１の側部プレートを越えて側方かつ前記前部プレートの前方に延在し、第１のスペーサにより前記前部プレートから側方に離間された第１の同軸管状部分を備えた、第１の側部連結具と、
別の頭部ユニットに連結するための第２の側部連結具であって、前記前部プレートから側方に突出し、前記第２の側部プレートを越えて側方かつ前記前部プレートの前方に延在し、第２のスペーサにより前記前部プレートから側方に離間された第２の同軸管状部分を備え、前記第２の同軸管状部分は、同軸のボアを形成するように、隣接する頭部ユニットの前記第１及び第２の管状部分が整列できるように、前記第１の同軸管状部分から垂直方向に変位された、第２の側部連結具とを備えた、頭部ユニット。
【請求項２６】
構成自在な高指向器において、
複数の頭部ユニットと、
複数の伸縮式脚部であって、各伸縮式脚部は、前記頭部ユニットの中の１つに回転可能に装着された、伸縮式脚部と、を備え、
各頭部ユニットは、第１の側部連結具及び第２の側部連結具をさらに備え、前記第１の側部連結具は、別の頭部ユニットの第２の側部連結部に回転可能に連結するように適合され、前記第２の側部連結具は、別の頭部ユニットの第１の側部連結具に回転可能に連結するように適合され、
各頭部ユニットは、中心部分を有する第１の頭部ユニット要素及び中心部分を有する第２の頭部ユニット要素をさらに備え、前記第１の頭部ユニット要素及び前記第２の頭部ユニット要素は、前記中心部分で相互に結合可能及び結合解除可能であり、前記中心部分は、前記脚部の対向側の各々に挿入され、前記中心部分の整列されたボアに配置されたピンを用いて結合され、前記第１及び第２の頭部ユニット要素は、前記脚部に対して側方移動するのを防ぐためのフランジを有する、高指向器。